(57)【要約】【課題】ユーザの利便性を向上させると共に、複数の発信者に対する着信音の設定を迅速にかつ効率よく行えるようにした携帯端末装置を提供すること。【解決手段】音声情報が保存されたサーバから音声情報をダウンロードして前記音声情報を記憶する記憶手段を有した携帯端末装置であって、前記記憶手段に記憶された音声情報を選択する第１の選択手段と、前記選択手段により音声情報が選択されたとき、前記音声情報の設定先を選択し、設定先として決定する選択決定手段と、前記選択決定手段により選択された設定先に対して、以後、前記設定先からの着信時に前記音声情報を着信音として設定する設定手段と、で構成される。【選択図】図２
2004282617.tif 000002
【特許請求の範囲】
【請求項１】
音声情報が保存されたサーバから音声情報をダウンロードして前記音声情報などを記憶する記憶手段を有した携帯端末装置であって、
前記記憶手段に記憶された音声情報を選択する第１の選択手段と、
前記選択手段により音声情報が選択されたとき、前記音声情報の設定先を選択し、設定先として決定する選択決定手段と、
前記選択決定手段により選択された設定先に対して、以後、前記設定先からの着信時に前記音声情報を着信音として設定する設定手段と、
を有することを特徴とする携帯端末装置。
【請求項２】
音声情報が保存されたサーバから音声情報をダウンロードして前記音声情報などを記憶する記憶手段を有した携帯端末装置であって、
前記記憶手段に記憶された音声情報を選択する第１の選択手段と、
前記選択手段により選択された音声情報を再生する再生手段と、
前記再生手段により前記音声情報を再生中に前記音声情報の設定先を選択し、設定先として決定する選択決定手段と、
前記第２の選択手段により選択された設定先に対して、以後前記設定先からの着信時に前記音声情報を着信音として設定する設定手段と、
を有することを特徴とする携帯端末装置。
【請求項３】
前記音声情報は、少なくとも音楽情報又は楽曲情報であることを特徴とする請求項１または請求項２に記載の携帯端末装置。
【請求項４】
前記記憶手段は、発信者名、発信者の電話番号、発信者のメールアドレス番号、グループ名などを記憶し、
前記設定先の選択および決定は、前記記憶手段から選択し、設定先として決定することを特徴とする請求項１乃至請求項３のいずれかに１項に記載の携帯端末装置。
【請求項５】
前記選択決定手段により、設定先を選択し、設定先として決定完了するまで前記再生手段による音声情報の再生を継続することを特徴とする請求項１乃至請求項４のいずれかに１項に記載の携帯端末装置。
【請求項６】
前記選択決定手段による選択、決定は、複数の発信者に対応する番号あるいは同じ発信者が所有する別の番号に対して、選択、設定が行えることを特徴とする請求項１乃至請求項５のいずれかに１項に記載の携帯端末装置。
【請求項７】
複数の設定先に対して選択、設定を継続して行うか否かを指示する指示手段を備え、
前記選択決定手段により、複数の設定先に対して選択、設定が行えることを特徴とする請求項６に記載の携帯端末装置。
【発明の詳細な説明】
【０００１】
【発明の属する技術分野】
本発明は、着信音設定機能を搭載した携帯電話機やＰＤＡ（Ｐｅｒｓｏｎａｌ  Ｄｉｇｉｔａｌ  Ａｓｓｉｓｔａｎｔｓ）等の携帯端末装置に関するものであり、特に、複数の発信者に対する着信音の設定を迅速にかつ効率よく行えることが可能な着信音設定機能を具備した携帯端末装置に関する。
【０００２】
【従来の技術】
近年、携帯電話機やＰＤＡ等の携帯端末装置において、発信者毎やグループ毎（複数の発信者をグループ設定し、グループを作成）の着信音を設定することが可能となっている。このような携帯端末装置において着信音設定を行う場合、予め使用者が登録した電話帳などにて発信者名、グループ名を選択してから着信音として音声情報や楽曲情報などを含む情報を選択し、設定するという方法がとられていた。
【０００３】
また、現在では着信音として設定可能な音声情報や楽曲情報などを含む情報が多種になり、インターネット経由でジャンルを選択し、例えば前記音声情報や楽曲情報などを含む情報として、着信メロディや画像、楽曲データなどをダウンロードし、前記ダウンロードした音声情報や楽曲情報などを含む情報を発信者毎やグループ毎に着信音の設定ができるようになっている。これに伴い、携帯端末装置に記憶・保存できる音声情報や楽曲情報などを含む情報の数が非常に増えてきている。
【０００４】
図４は携帯端末装置が無線により接続される通信ネットワークの基本構成例を示すブロック図である。
【０００５】
ここで、６０４は携帯端末装置であり、６０２、６０３は無線基地局、６００は通信網、さらに６０１は音声情報や楽曲情報などを含む情報を記憶したコンテンツサーバである。
【０００６】
まず、音声情報や楽曲情報（着信メロディなど）や画像情報（壁紙など）を情報サイトであるコンテンツサーバ６０１からダウンロードするとき、前記携帯端末装置６０４から無線にて無線基地局６０２、通信網６００を介して信号送受を行い、コンテンツサーバ６０１にアクセス、かつ接続及び情報選択要求などを行い、所望の情報をダウンロードすることが可能となっている。
【０００７】
図５は前記音声情報や楽曲情報などを含む情報をダウンロードし、携帯端末装置内の記憶部に記憶・保存した後に、発信者毎やグループ毎に着信音の設定を行う従来の携帯端末装置における着信音設定の動作フローチャート図である。以降、その動作説明をステップ番号にそって説明する。
【０００８】
まず、使用者は携帯端末装置のキー操作部の入力により、機能設定を行うべく機能一覧メニューを表示画面に表示させ、その中から、着信音の設定を選択すると、前記携帯端末装置の表示画面に予め使用者によって登録された電話帳が表示され（ステップＳ５０１）、その電話帳から着信音を設定したい発信者を選択し（ステップＳ５０２）、選択された発信者が複数の電話番号やメールアドレス番号を取得している際に、いずれの番号に対して着信音を設定したいのか選択し（ステップＳ５０３）、次に、ダウンロードし記憶・保存した音声情報や楽曲情報などの情報を一覧リスト表示させ（ステップＳ５０４）、前記一覧リスト表示の中から使用者が設定したい所望の音声情報や楽曲情報を選択し（ステップＳ５０５）、着信音として設定することを決定する（ステップＳ５０６）。
【０００９】
〔特許文献１〕
特開２００２−２４４９８０号公報
〔特許文献２〕
特開平１０−１９０７７９号公報
【００１０】
【発明が解決しようとする課題】
しかしながら、前記ステップＳ５０４において、ダウンロードした音声情報や楽曲情報などの情報の一覧リストが表示されるが、記憶した情報が多ければ多いほど、所望の音声情報や楽曲情報を選択するために使用者は携帯端末装置のキー操作部を何度も押下（例えば、上下キーを操作してスクロールしていくなど）しなければならない。そのため、着信音を設定する場合、例えば、発信者の選択をしてから設定したい音声情報や楽曲情報など（着信音）を選択するまでに時間がかかってしまうという問題があった。
さらに、使用者は選択しようとする前記音声情報などが本当に着信音として選択したい音声情報と一致するものなのか試聴するステップを選択設定登録前に行うか、上述した着信音設定登録処理を一旦中止して選択しようとする音声情報などを試聴し、確認するという手順を追加しなければならなかった。
上記の課題が発生する要因としては、検索機能に影響することが分かる。電話帳から特定の発信者を検索する場合、発信者名などをもとに検索することで容易に見つけることができる。しかし、携帯電話機に保存されている中から特定の音声情報や楽曲情報を検索する場合、その音名（曲名）を記憶していなければならないが、使用者は、数多くの音名（曲名）をはっきりと記憶し続けることは非常に困難である。
また、音声情報や楽曲情報などの情報をダウンロードした後には、すぐに試聴する動作を行うと考えられるが、前記音声情報や楽曲情報などの情報を着信音に設定するためには、メニュー画面から電話帳の選択をし、続いて電話帳に登録された発信者（またはグループ名）の選択（検索機能を使用してもよい）をしてから再度、前記音声情報や楽曲情報などの情報の選択をしなければならないという問題もあった。
【００１１】
そこで、本発明の目的は、ユーザの利便性を向上させて、例えば、ダウンロードし、記憶・保存した複数の音声情報や楽曲情報などを含む情報を着信音として設定する際、前記複数の音声情報や楽曲情報などの中から指定の情報を選択したとき、または、その音色（音・曲など）を聞きながら容易かつ迅速に発信者（発信者毎やグループ毎）に対応させ前記発信者の着信音として設定することができる携帯端末装置を提供することを目的とする。
【００１２】
【課題を解決するための手段】
上記課題を解決するため、請求項１に記載の構成は、音声情報が保存されたサーバから音声情報をダウンロードして前記音声情報を記憶する記憶手段を有した携帯端末装置であって、前記記憶手段に記憶された音声情報を選択する第１の選択手段と、前記選択手段により音声情報が選択されたとき、前記音声情報の設定先を選択し、設定先として決定する選択決定手段と、前記選択決定手段により選択された設定先に対して、以後、前記設定先からの着信時に前記音声情報を着信音として設定する設定手段と、を有することを特徴とする。
【００１３】
請求項２に記載の構成は、音声情報が保存されたサーバから音声情報をダウンロードして前記音声情報を記憶する記憶手段を有した携帯端末装置であって、前記記憶手段に記憶された音声情報を選択する第１の選択手段と、前記選択手段により選択された音声情報を再生する再生手段と、前記再生手段により前記音声情報を再生中に前記音声情報の設定先を選択し、設定先として決定する選択決定手段と、前記第２の選択手段により選択された設定先に対して、以後前記設定先からの着信時に前記音声情報を着信音として設定する設定手段と、を有することを特徴とする。
【００１４】
請求項３に記載の構成は、請求項１または請求項２に記載の携帯端末装置において、前記音声情報は、少なくとも音楽情報又は楽曲情報であることを特徴とする。
【００１５】
請求項４に記載の構成は、請求項１乃至請求項３に記載の携帯端末装置において、前記記憶手段は、発信者名、発信者の電話番号、発信者のメールアドレス番号、グループ名などを記憶し、前記設定先の選択および決定は、前記記憶手段から選択し、設定先として決定することを特徴とする。
【００１６】
請求項５に記載の構成は、請求項１乃至請求項４に記載の携帯端末装置において、前記選択決定手段により、設定先を選択し、設定先として決定完了するまで前記再生手段による音声情報の再生を継続することを特徴とする。
【００１７】
請求項６に記載の構成は、請求項１乃至請求項５に記載の携帯端末装置において、前記選択決定手段による選択、決定は、複数の発信者に対応する番号あるいは同じ発信者が所有する別の番号に対して、選択、設定が行えることを特徴とする。
【００１８】
請求項７に記載の構成は、請求項６に記載の携帯端末装置において、複数の設定先に対して選択、設定を継続して行うか否かを指示する指示手段を備え、前記選択決定手段により、複数の設定先に対して選択、設定が行えることを特徴とする。
【００１９】
【発明の実施の形態】
以下、本発明の実施の形態を図面と共に説明する。
【００２０】
図１は、本発明の携帯端末装置１の基本構成例を示すブロック図である。１は携帯端末装置、２はアンテナ、３は表示部、４はキー操作部、５は通話用スピーカ部（受話部）、６はマイク部（送話部）、７は着信音などを再生するためのスピーカ部となっている。ここで、前記スピーカ部７は別体としたが、前記携帯端末装置１内に切り替え手段を設け、通話用スピーカ部５を着信音の出力スピーカとして兼用しても良い事は言うまでもない。
【００２１】
また、８はアンテナ２に接続された無線通信処理部であり、通信ネットワーク側に接続するための電波を送受するための送信手段や送信に関する通信処理を行うものである。９は携帯端末装置１の制御部であり、通信ネットワークに接続を行うために、前記無線通信処理部８に対して送信制御を行うと共に、前記キー操作部４による使用者からのキー操作入力に応じて各種情報を前記表示部３に出力表示させるべく、その表示制御や、前述した発信者毎やグループ毎の電話帳への登録処理、選択処理、更には通信ネットワークを介した各種情報のダウンロード処理やダウンロード情報の記録・保存処理、着信音の設定処理など含む、携帯端末装置１全体の処理実行及び各種制御を行うものである。
【００２２】
着信音として設定可能な音声情報や楽曲情報などを含む情報は、先に述べた図４（従来技術）において説明した通り、無線基地局や通信網を介して信号送受を行い、コンテンツサーバにアクセス、かつ接続及び情報選択要求などを行い、所望の情報をダウンロードする手順やシステムは同様であり、携帯端末装置１のインターネット機能を使用して音声情報や楽曲情報などを含む情報（着信メロディや画像データ、楽曲データなど）を記憶したコンテンツサーバから使用者の指定した楽曲・ジャンルなどの指定・選択により、所望の情報を取得し、得られた情報を前記記憶部１１に記憶・保存し、画像データなども含んでダウンロードファイルとして管理される。
【００２３】
１０は通話用スピーカ部５、マイク部６、スピーカ部７と接続された音声処理部であり、前記通話用スピーカ部５やスピーカ部７への音声出力およびマイク部６からの音声入力に対する音声入出力制御を行うものである。
【００２４】
１１は記憶部（記憶手段）であり、例えば、書き換え・読み出し自在のフラッシュメモリなどで構成され、前述したダウンロードによる複数の音声情報や楽曲情報などを含む情報や発信者毎・グループ毎の電話帳やアドレス帳のデータ情報、着信音設定登録情報などを記憶・保存すると共に、前記制御部９が制御するために用いるプログラム等の格納及び各種動作制御のためのワークスペースとしても用いられる。
【００２５】
図２は、音声情報や楽曲情報などを含む情報をダウンロードし、前記携帯端末装置１内の記憶部１１に記憶・保存した後に、前記音声情報や楽曲情報などを含む情報を発信者毎やグループ毎（発信者名、発信者の電話番号、発信者のメールアドレス番号、グループ名など）に着信音として設定を行う、本発明の携帯端末装置１の動作フローチャート図である。以降、本発明の動作説明をステップ番号にそって説明する。
【００２６】
まず、使用者は携帯端末装置１のキー操作部４の入力により、機能設定を行うべく機能一覧メニューを表示部３に表示させ、その中から「着信音の設定」を選択すると、前記携帯端末装置１内の記憶部１１からダウンロードし記憶・保存した音声情報や楽曲情報などを含む情報を読み出し、前記携帯端末装置１の表示部３に前記音声情報や楽曲情報などを含む情報の選択画面（情報の一覧リスト）が表示される（ステップＳ２００）。
【００２７】
前記ステップＳ２００の状態で、前記キー操作部４によるカーソル移動指示に伴う前記音声情報の選択指示と併せて同時に前記音声情報の再生動作を行い、前記スピーカ部７より音声情報が出力される（ステップＳ２０１）。
【００２８】
ここで、前記ステップＳ２０１における音声情報の選択・再生についてであるが、前記記憶部１１に記憶された音声情報の先頭から最後までの音声情報が再生終了したときに、後述するステップＳ２０５の操作が終了していないことを前記制御部９にて判断されると、前記ステップＳ２０１における音声情報の再生処理は、継続して再度先頭から音声情報再生を繰り返すように構成されている。
【００２９】
そして、前記音声情報の再生中にキー操作部４により停止キーが操作されたか否かを前記制御部９にて判断し（ステップＳ２０２）、もし停止キーが押下されたと判断されると前記音声情報の再生を停止し（ステップＳ２０３）、以降のステップに移行させる。また、前記ステップＳ２０２にて停止キーが押下されなければ、前記ステップＳ２０１において、キー操作部４により着信音として設定したい所望の音声情報や楽曲情報などを含む情報を選択決定したか否かを前記制御部９にて判断し（ステップＳ２０４）、選択決定されたと判断すると、前記音声情報が再生されている状態で、予め使用者が発信者名、発信者の電話番号、発信者のメールアドレス番号などを登録した電話帳またはアドレス帳の検索画面が表示される（ステップＳ２０５）。ここで、前記ステップＳ２０４において、未だ選択決定されていないと判断されると、前記ステップＳ２０１に戻る。
【００３０】
前記電話帳またはアドレス帳の選択画面表示形態については後述するが、ステップＳ２０５では、電話帳（アドレス帳）の登録番号や発信者の名前、グループ名（キーワード含む）、発信者のメールアドレス番号から検索が行えるように、各検索指定選択画面が最初に表示され、使用者はキー操作部４により各検索指定にあわせた入力操作を行い、検索した電話帳（アドレス帳）の登録番号や発信者の名前、グループ名（キーワード含む）、発信者のメールアドレス番号を表示して以降のステップに移行する。
【００３１】
また、ステップＳ２０５において、検索方式（電話帳またはアドレス帳の登録番号による検索方式や発信者の名前、グループ名（キーワード含む）、発信者のメールアドレス番号からの検索方式）だけを選択し、前記選択後に電話帳またはアドレス帳に記憶された全ての情報を一覧リストとして表示させ、以降のステップに移行するようにしても良い。
【００３２】
そして、前記電話帳（アドレス帳）から前記選択した音声情報や楽曲情報などを含む情報を着信音として設定したい発信者の電話帳登録番号や発信者の電話番号または発信者のメールアドレス番号の内、所望の前記番号を選択し（ステップＳ２０６）、前記キー操作部４により、その発信者に対応する前記番号に対して着信音として設定することを決定（確定）することにより、設定先として前記記憶部１１に記憶・保存する（ステップＳ２０７）。
【００３３】
また、前記ステップＳ２０７における設定先の登録時において、少なくとも１つの設定先（発信者）に対する登録処理が行われると、前記携帯端末装置１の表示部３に前記設定先（発信者）と異なる発信者に対応する前記番号に対して、着信音として選択、設定を継続して行うか否かの継続の有無表示をし、前記キー操作部４からの入力により前記継続の有無について前記制御部１１が判断し（ステップＳ２０８）、前記キー操作部４（指示手段）により選択、設定を継続指示する操作がなされると、前記ステップＳ２０５に戻り、前述した動作を繰り返し、複数の設定先に対して選択、設定が行えることができる。
【００３４】
前記ステップＳ２０８において、複数の発信者（複数の設定先）に対応する前記番号あるいは同じ発信者が所有する別の番号に対して、着信音として選択、設定を継続して行わないと前記キー操作部４の入力により指示すると、前述したステップＳ２０１における選択されている音声情報や楽曲情報などを含む情報の再生を終了する（ステップＳ２０９）。
【００３５】
このように、前記選択決定手段により、設定先を選択し、設定先として決定完了するまで前記再生手段による音声情報の再生を継続（リピート再生）させることで、使用者が着信音として設定したい所望の音声情報や楽曲情報の選択において、あわてずに音色（音・曲）の試聴・確認をしながら容易かつ迅速に発信者（発信者名、発信者の電話番号、発信者のメールアドレス番号、グループ名など）に対応させて着信音として設定することができ、着信音の設定時間の短縮化となるばかりか、ユーザの利便性が向上する。
【００３６】
さらに、近年、同じ発信者（設定先）においては、電話番号やメールアドレス番号など複数所有している者もいるので、選択した発信者について、前記携帯端末装置１の使用者が複数の電話番号やメールアドレス番号を登録している時は、前記ステップＳ２０８による選択、設定の継続指示について、同じ発信者（設定先）に対して設定継続することを前記キー操作部４（指示手段）により指示すると、前記ステップＳ２０７に戻り、現在の前記番号所有内容（どの電話番号（音声着信のとき）か、どのメールアドレス番号（メール着信のとき））を表示させ、前述した動作を繰り返し、同じ発信者（設定先）であっても複数所有の前記番号に対して選択、設定が行えるようにしても良い。
【００３７】
加えて、前記ステップＳ２０８において、違う音声情報に対して前述した選択、設定を行いたい場合は、前記ステップＳ２０１に戻り、前述した動作を繰り返し、複数の発信者（設定先）に対して選択、設定が行えるようにしても良い。
【００３８】
また、前述したステップＳ２０３における前記音声情報の再生停止については、前述したステップ２０８の操作終了前であれば、何れの動作ステップの段階においても前記キー操作部４により前記音声情報の再生を停止指示可能とするようにしても良いことは言うまでもない。
【００３９】
このように、使用者が着信音として設定したい所望の音声情報や楽曲情報を選択し、続いて前記音声情報の設定先を選択できるようにしたため、迅速に発信者（発信者毎やグループ毎、さらには発信者が複数の電話番号やメールアドレス番号を持つ場合の指定番号毎）に対応させて着信音として設定することができる。
【００４０】
また、使用者が着信音として設定したい所望の音声情報や楽曲情報を選択すると同時に前記音声情報を再生させることで、音色（音・曲）の試聴・確認をしながらその再生中に容易かつ迅速に発信者（発信者名、発信者の電話番号、発信者のメールアドレス番号、グループ名など）に対応させて着信音として設定することができるので、従来のように電話帳を開いて発信者を選択してから再度、ダウンロードして記憶保存した音声情報（音・曲）などを選択することなく、時間の短縮化となるばかりか、ユーザの利便性が向上する。
【００４１】
さらに、前記設定先の選択および決定の際には、予めユーザが発信者名、発信者の電話番号、発信者のメールアドレス番号、グループ名などを登録して記憶した発信者毎・グループ毎の電話帳やアドレス帳を利用できるようにしているため、前記設定先が迅速に選択できるばかりか、ユーザにとって非常に使い勝手が良い。
【００４２】
図３は、図２に示した本発明の動作フローチャート図に対応して、前記携帯端末装置１内の表示部３に表示される表示画面の遷移を示す遷移図である。以降、本発明の携帯端末装置１内の表示部３に表示される表示画面の遷移についてステップ番号にそって説明する。
【００４３】
まず、使用者は携帯端末装置１のキー操作部４の入力により、機能設定を行うべく機能一覧メニューを表示部３に表示させ、その中から「着信音の設定」を選択すると（ステップＳ３００）、前記携帯端末装置１内の記憶部１１からダウンロードし記憶・保存した音声情報や楽曲情報などを含む情報を読み出し、前記音声情報や楽曲情報などを含む情報の選択画面（情報の一覧リスト）が表示されると共に、前記音声情報をキー操作部４によりカーソル移動に伴う選択指示と併せて同時に前記音声情報の再生動作が行われ（ステップＳ３０１）、前記キー操作部４により着信音として設定したい所望の音声情報や楽曲情報などを含む情報を選択決定されると、次に、予め使用者が発信者名、発信者の電話番号、発信者のメールアドレス番号などを登録した電話帳またはアドレス帳の検索画面が表示される（ステップＳ３０４）。
【００４４】
次に、前記電話帳またはアドレス帳の登録番号や発信者の名前、グループ名（キーワード含む）、発信者のメールアドレス番号から検索が行えるように、検索方式（電話帳またはアドレス帳の登録番号による検索方式や発信者の名前、グループ名（キーワード含む）、発信者のメールアドレス番号からの検索方式）一覧リストが表示され（ステップＳ３０４）、例えば、電話帳またはアドレス帳の登録番号からの検索方式が指定されると、前記登録番号の一覧リストが表示される（ステップＳ３０５）。
【００４５】
ここで、例えば、発信者の名前あるいはグループ名からの検索方式が指定されると、名前あるいはグループ名を入力する画面が表示され（ステップＳ３０６）、前記キー操作部４により名前あるいはグループ名が入力されると、前記制御部９により予め使用者によって前記携帯端末装置１内の記憶部１１に記憶（登録）された電話帳またはアドレス帳を検索し、その検索結果が表示される（ステップＳ３０７）。
【００４６】
使用者はキー操作部４により前記選択した音声情報や楽曲情報などを含む情報を着信音として設定したい発信者を選択決定すると、前記電話帳（アドレス帳）に登録されている前記選択された発信者の全ての電話番号及び／又はメールアドレス番号が表示され（ステップＳ３０８）、使用者はキー操作部４により前記選択した音声情報や楽曲情報などを含む情報を着信音として設定したい発信者の所望の前記番号を選択決定すると、前記選択された発信者の番号に対する着信音の設定先として前記記憶部１１に記憶・保存する。
【００４７】
続いて、上述した設定を継続するか否かの表示がなされ（ステップＳ３０９）、例えば、前記キー操作部４により、同じ発信者に対して設定を継続すると指示されると、前述したステップＳ３０８に戻り、前述した動作を繰り返し、同じ発信者が所有する別の番号（設定先）に対して選択された前記音声情報を着信音として選択、設定できる。
【００４８】
また、前記キー操作部４により、違う発信者に対して設定を継続すると指示されると、前述したステップＳ３０４に戻り、前述した動作を繰り返し、異なる発信者に対して選択された前記音声情報を着信音として選択、設定できる。
【００４９】
さらに、異なる前記音声情報を選択して複数の発信者（設定先）に対して選択、設定を継続すると指示されると、前述したステップＳ３０１に戻り、前述した動作を繰り返し、異なる前記音声情報を選択して複数の発信者（設定先）に対して選択、設定できる。
【００５０】
このように、前記選択決定手段による選択、決定は、複数の発信者に対応する番号あるいは同じ発信者が所有する別の番号に対して、選択、設定が行えることにより、使用者が着信音として設定したい所望の音声情報や楽曲情報の選択や設定について、ユーザの利便性を向上することができる。
【００５１】
さらに、複数の設定先に対して選択、設定を継続して行うか否かを指示する指示手段（キー操作部４）があることで、臨機応変に前記選択決定手段により、複数の設定先に対して選択、設定が行えるので、更なるユーザの利便性の向上につながる。
【００５２】
なお、本発明は上記実施の形態例に限定されるものではなく、本発明の要旨を逸脱しない範囲内での種々の改良や変更等は何ら差し支えない。
【００５３】
【発明の効果】
以上説明したように、本発明の携帯端末装置では、着信音の設定を迅速にかつ効率よく行えると共に、ユーザの利便性をも向上させることができる。
【図面の簡単な説明】
【図１】本発明の携帯端末装置１の基本構成例を示すブロック図である。
【図２】本発明の携帯端末装置１の動作フローチャート図である。
【図３】本発明の携帯端末装置の表示部に表示される表示画面の遷移を示す遷移図である。
【図４】通信ネットワークの基本構成例を示すブロック図。
【図５】従来の携帯端末装置における着信音設定の動作フローチャート図である。
【符号の説明】
１・・・携帯端末装置
２・・・アンテナ
３・・・表示部
４・・・キー操作部
５・・・通話用スピーカ部（受話部）
６・・・マイク部（送話部）
７・・・スピーカ部
８・・・無線通信処理部
９・・・制御部
１０・・・音声処理部
１１・・・記憶部
６００・・・通信網
６０１・・・コンテンツサーバ
６０２、６０３・・・無線基地局
６０４・・・携帯端末装置
【図１】
2004282617.tif 000003
【図２】
2004282617.tif 000004
【図３】
2004282617.tif 000005
【図４】
2004282617.tif 000006
【図５】
2004282617.tif 000007